(57)【要約】【課題】水揚げ作業の負担を軽減しながら容易に所望の切り口を形成し得る生花用切断器具を提供することにある。【解決手段】  上側平行ガイド溝21及び基台平行ガイド溝14によって生花の茎30の中心軸31を上刃６及び下刃５の間に平行にガイドした状態で上面4Bを叩いたり、或いは体重を利用して押圧できるようにしたことにより、作業者の握力による力に比べ遥かに大きな力を上面4Bを介して上刃６及び下刃５に対し容易に加えることができるので、正確に茎30の切り口を一文字状及び十文字状に切断できるとともに、当該茎30の切り口31及び32が潰れてしまうことを防止でき、かくして水揚げ作業の負担を軽減しながら容易に所望の切り口31及び32を形成し得る。【選択図】        図５
2005212080.tif 000002
【特許請求の範囲】
【請求項１】
生花の茎を切断する生花用切断器具において、下刃が設けられた基台と、前記下刃に対してほぼ対向するように上刃が設けられ、かつ前記基台に対しヒンジ部を介して開閉自在に連結された上体と、該上体に設けられ、かつ前記基台に対して前記上体を押圧可能な押圧面と、前記下刃と前記上刃とによって前記茎の切り口を一文字状に切断するように前記茎の中心軸を切断位置に対し平行にガイドする平行ガイド手段とを備えることを特徴とする生花用切断器具。
【請求項２】
生花の茎を切断する生花用切断器具において、下刃が設けられた基台と、前記下刃に対してほぼ対向するように上刃が設けられ、かつ前記基台に対しヒンジ部を介して開閉自在に連結された上体と、該上体に設けられ、かつ前記基台に対して前記上体を押圧可能な押圧面と、前記下刃と前記上刃とによって前記茎の切り口を斜めに切断するように前記茎の中心軸を切断位置に対し斜めにガイドする傾斜ガイド手段とを備えることを特徴とする生花用切断器具。
【請求項３】
生花の茎を切断する生花用切断器具において、下刃が設けられた基台と、前記下刃に対してほぼ対向するように上刃が設けられ、かつ前記基台に対しヒンジ部を介して開閉自在に連結された上体と、該上体に設けられ、かつ前記基台に対して前記上体を押圧可能な押圧面と、前記下刃と前記上刃とによって前記茎の切り口を一文字状に切断するように前記茎の中心軸を切断位置に対し平行にガイドする平行ガイド手段と、前記下刃と前記上刃とによって前記茎の切り口を斜めに切断するように前記茎の中心軸を切断位置に対し斜めにガイドする傾斜ガイド手段とを備えることを特徴とする生花用切断器具。
【発明の詳細な説明】
【技術分野】
【０００１】
この発明は、生花用切断器具に関し、例えば、生花の茎を切断する際に用いる生花用切断器具に適用して好適なものである。
【背景技術】
【０００２】
今日、開花のタイミングを図る生花の切断加工として、生花の茎を斜めに切断したり、或いは切り口を２方向から切断して十文字の切り込みを入れたりすることにより、切り口の表面積を広げ、茎による水の吸収を良くさせる、いわゆる水揚げ作業が行われている。
【０００３】
そして、従来、このような水揚げ作業においては、一般的に園芸用鋏や華道用鋏などの枝切り鋏が用いられている（例えば、特許文献１参照）。
【特許文献１】特開２００１−１０４６６５号公報
【発明の開示】
【発明が解決しようとする課題】
【０００４】
ところが、かかる構成の枝切り鋏においては、一端側にある刃部の間に枝や茎を挟み込ませた状態で、他端側にある保持部を強く把持させることにより刃部に対して力を加え茎を切断していることから、水揚げ作業には作業者の握力を要し、握力の弱い高齢者などが水揚げ作業を行う際には茎を切断することが困難であり、この場合、切り口が潰れてしまうなどして所望する切り口を形成し得ないという問題があった。
【０００５】
実際上、このように切り口が潰れてしまった場合には、その後、ナイフなどによって、当該切り口を整える作業を現場で行っており、水揚げ作業の負担が大きいという問題があった。
【０００６】
また、一般的に、茎が太く硬い枝物（以下、これも含めて茎という）などに対しては茎の切り口を２方向から切断して十文字の切り込みを入れているが、かかる構成の枝切り鋏では、この際、茎の中心軸を刃部間に位置決めし、この不安定な状態のまま枝切り鋏の保持部を一段と強く把持して刃部に対し力を加えるため、当該把持した手に力を加えた際に刃部の間に位置決めした茎の中心軸がずれ易く、茎の中心軸を２方向から切断し切り口に十文字の切り込みを入れるには熟練を要し、容易に所望の切り口を形成し難いという問題があった。
【０００７】
そこで本発明は上記の問題点に鑑み、水揚げ作業の負担を軽減しながら容易に所望の切り口を形成し得る生花用切断器具を提供することにある。
【課題を解決するための手段】
【０００８】
本発明の請求項１では、生花の茎を切断する生花用切断器具において、下刃が設けられた基台と、前記下刃に対してほぼ対向するように上刃が設けられ、かつ前記基台に対しヒンジ部を介して開閉自在に連結された上体と、該上体に設けられ、かつ前記基台に対して前記上体を押圧可能な押圧面と、前記下刃と前記上刃とによって前記茎の切り口を一文字状に切断するように前記茎の中心軸を切断位置に対し平行にガイドする平行ガイド手段とを備えるようにした。
【０００９】
また、請求項２では、生花の茎を切断する生花用切断器具において、下刃が設けられた基台と、前記下刃に対してほぼ対向するように上刃が設けられ、かつ前記基台に対しヒンジ部を介して開閉自在に連結された上体と、該上体に設けられ、かつ前記基台に対して前記上体を押圧可能な押圧面と、前記下刃と前記上刃とによって前記茎の切り口を斜めに切断するように前記茎の中心軸を切断位置に対し斜めにガイドする傾斜ガイド手段とを備えるようにした。
【００１０】
また、本発明の請求項３では、生花の茎を切断する生花用切断器具において、下刃が設けられた基台と、前記下刃に対してほぼ対向するように上刃が設けられ、かつ前記基台に対しヒンジ部を介して開閉自在に連結された上体と、該上体に設けられ、かつ前記基台に対して前記上体を押圧可能な押圧面と、前記下刃と前記上刃とによって前記茎の切り口を一文字状に切断するように前記茎の中心軸を切断位置に対し平行にガイドする平行ガイド手段と、前記下刃と前記上刃とによって前記茎の切り口を斜めに切断するように前記茎の中心軸を切断位置に対し斜めにガイドする傾斜ガイド手段とを備えるようにした。
【発明の効果】
【００１１】
本発明の請求項１及び３によれば、平行ガイド手段によって生花の茎の中心軸を上刃及び下刃が対向した切断位置に平行にガイドした状態で押圧面を押圧できるようにしたことにより、作業者の握力による力よりも遥かに大きな力を、押圧面を介して上刃及び下刃に対し容易に加えることができるので、正確に茎の切り口を一文字状に切断できるとともに、当該茎の切り口が潰れてしまうことを防止でき、かくして水揚げ作業の負担を軽減しながら容易に所望の切り口を形成し得る。
【００１２】
本発明の請求項２及び３によれば、傾斜ガイド手段によって生花の茎の中心軸を上刃及び下刃の間に斜めにガイドした状態で押圧面を押圧できるようにしたことにより、作業者の握力による力よりも遥かに大きな力を、押圧面を介して上刃及び下刃に対し容易に加えることができるので、正確に茎の切り口を斜めに切断できるとともに、当該茎の切り口が潰れてしまうことを防止でき、かくして水揚げ作業の負担を軽減しながら容易に所望の切り口を形成し得る。
【発明を実施するための最良の形態】
【００１３】
以下、本発明における好ましい実施例について、添付図面を参照しながら説明する。
【００１４】
図１（A）及び（B）と図２（A）、（B）及び（C）とにおいて、１は全体として本発明による生花用切断器具を示し、基台２と、当該基台２に対しヒンジ部３を介して開閉自在に連結された上体４とで構成されている。
【００１５】
実際上、この生花用切断器具１は、基台２の上面2Aのほぼ中央部に板状の下刃５が設けられているとともに、当該下刃５に対向するように上体４の下面4Aに板状の上刃６が設けられており、ヒンジ部３の回転軸（図中のＹ軸）を支点として上体４が基台２に対して開閉されることにより、下刃５と上刃６とが対向する切断位置（図中のY軸とほぼ直交するX軸上で、かつ下刃５と上刃６とが対向している位置）で被切断物（図示せず）を切断し得る。
【００１６】
すなわち、生花用切断器具１は、開状態から閉状態に移るとき、上体４の一端側に設けられた上側ガイド手段８が基台２の一端側に設けられた基台側ガイド手段９に当接するまで上刃６の当接面と下刃の当接面とを摺接させながら移動し、これにより下刃と上刃との間に挟み込まれた被切断物を切断する。
【００１７】
生花用切断器具１は、図２（A）に示したように、開状態のとき、基台２の上面2Aと上体４の上刃６の刃先との間に隙間Gを形成し得るようになされている。
【００１８】
このとき生花用切断器具１は、図３に示すように、ヒンジ部３において、基台２のヒンジ部材７の上面7Aに、上体４の下面4A端部が当接することにより、上体４の開状態が規制し得、これにより、開状態で上刃６の刃先が露出することを防止し得る。因みに、この実施の形態の場合、基台２に対して上体４が約40度程度の角度まで開状態となるように構成されている。
【００１９】
これに対して、図２（B）及び（C）に示したように、生花用切断器具１は、閉状態のとき上体４の押圧面としての上面4Bと、基台２の下面2Bとがほぼ平行になるように形成されており、基台と上体との厚み寸法が約3.4cm程度に選定されている。
【００２０】
ここで生花用切断器具１は、基台２に係止部10を有し、閉状態のときに上体４の上面4Bに設けられた係止溝11（図１（A))に係止部10の先端が係止することにより、持ち運びなどの際、上体４と基台２とが開状態となることを確実に防止し得るようになされている。
【００２１】
因みに、係止部10は、硬質ゴム材でなり、基台２に形成された収納溝12に対して収納可能な構成でなり、当該収納溝12に収納された状態で閉状態となり得る。
【００２２】
実際上、基台２は、その直径が約12cm程度でほぼ薄型円盤状に形成され、その下面2Bが例えば硬質ゴム材で形成されていることにより、例えば机などに載置した際に滑りを防止して当該机などに確実に固定し得るようになされている。
【００２３】
基台２の上面2Aは、例えば合成樹脂材でなり、図４（A）に示すように、ヒンジ部材７と対向する他端側に基台側ガイド手段９が一体成形されており、当該ヒンジ部材７から外周の手間まで形成された溝13に下刃５が埋設されている。
【００２４】
基台側ガイド手段９は、全体としてほぼ台形状で厚みを有し、中央部にある半円柱状に形成された溝（以下、これを基台平行ガイド溝と呼ぶ）14と、基台平行ガイド溝14に並ぶようにして設けられた係合部10と、基台２の中心点P方向に向かうように傾斜した側面（以下、これを基台傾斜ガイド面と呼ぶ）15と、X軸と直交する面（以下、これを基台直交ガイド面と呼ぶ）16とを有する。
【００２５】
ここで、基台平行ガイド溝14は、その長手方向の中心位置がX軸上と一致しており、基台２の中心点P側にストッパ面17が形成され、当該ストッパ面17に下刃５を埋没した溝13に合わせて切り込みが形成されている。
【００２６】
実際上、基台平行ガイド溝14内には、下刃５が基台直交ガイド面16側から約2/3程度の位置まで配置されているとともに、外周側に下刃５を有しない領域を有するように形成されている。
【００２７】
因みに、基台平行ガイド溝14の直径は、生花の茎が挿入し得る直径に選定されており、この実施の形態の場合、その直径が約２cm程度に選定されている。
【００２８】
また、基台傾斜ガイド面15は、外周側から基台直交ガイド面16までほぼ平面状に形成されており、基台平行ガイド溝14の中心（X軸）上から約４５度程度の角度を有するように選定されている。なお、基台傾斜ガイド面15の角度は、これに限らず、約４０度程度などこの他種々の角度に選定するようにしても良い。
【００２９】
一方、上体４は、その直径が約12cm程度でほぼ薄型円筒状に形成されており、その上面4B（図１（B))が例えば硬質ゴム材でなり、ほぼ平面状に形成され上方から押圧可能な構成を有する。
【００３０】
これに対して、図４（B)に示すように、上体４の下面4Aは、例えば合成樹脂材でなり、基台側ガイド手段９と対向する位置に上側ガイド手段８が一体成形されており、基台２の溝13に対向するようにヒンジ部材18から上側ガイド手段８まで上刃６が設けられている。
【００３１】
そして、上体４には、ヒンジ部材18と上側ガイド手段８との間に円形状の開口部19を有し、当該開口部19を介して上方から基台２の上面2A、下刃５及び上刃６を目視確認し得るようになされている。
【００３２】
因みに、この実施の形態の場合、上体４は、開口部19の中心と上体４の中心とが一致しておらず、開口部19の中心がヒンジ部３側に有することにより、当該ヒンジ部３と対向する他端側に上面4Bの主な領域を形成している。これにより、上体４を確実に押圧し得る領域を形成するとともに、基台２の上面2A、下刃５及び上刃６を確実に目視確認し得るようになされている。
【００３３】
また、上体４には、上側ガイド手段８に硬質ゴム材でなる当接部材20を有し、係止部10が収納溝12に収納された状態で閉状態となった場合に、当該係止部10と当接部材20とが当接し、上体４の上面4Bに加えられた衝撃を僅かに吸収し得るようになされている。
【００３４】
この上側ガイド手段８は、全体としてほぼ台形状で基台ガイド手段９とほぼ同じ形状でなるものの、その厚みが基台ガイド手段９の厚みよりも薄く形成され、基台平行ガイド溝14と対向する位置に半円柱状に形成された溝（以下、これを上側平行ガイド溝と呼ぶ）21を有するとともに、基台２の基台傾斜ガイド面15と同じように傾斜した側面（以下、これを上側傾斜ガイド面と呼ぶ）22を有する。
【００３５】
ここで上側平行ガイド溝21は、その長手方向の中心位置がX軸上と一致しており、基台平行ガイド溝14のストッパ面17と対向する位置にストッパ面23が形成され、当該ストッパ面23に上刃６に合わせて切り込みが形成されている。
【００３６】
実際上、この上側平行ガイド溝21内には、基台平行ガイド溝14内に設けられた下刃５に対向して上刃６が配置されており、その直径が基台平行ガイド溝14の直径と同じに選定されている。
【００３７】
また、上側傾斜ガイド面22は、基台傾斜ガイド面15とほぼ同じように形成され、外周側から開口部19までほぼ平面状に形成されているとともに、基台傾斜ガイド面15とほぼ同じ角度で形成されている。
【００３８】
以上の構成において、茎の切り口に十文字の切り口を形成する作業者は、図５（A)及び（B)に示すように、例えば机など（図示せず）に基台２を載置することにより固定した後、一方の手で茎30を保持し当該茎30の切り口側を、開状態にある生花用切断器具１の基台平行ガイド溝14に位置決めし、その後、図５（C)に示すように、上体４を基台２側に押し倒す。
【００３９】
このとき基台ガイド溝14と上側ガイド溝21とにガイドされた茎30は、切り口がストッパ面17及び23に当接するとともに、茎30の中心軸31が上刃５と下刃６との切断位置CP1に対してほぼ平行に位置決めされる。
【００４０】
因みに、基台２の上面2Aに対して茎30の色と異なる配色を種々施しておけば、作業者は茎30の位置決め状態を瞬時に目視確認でき、容易に所望の位置に茎30を位置決めできる。
【００４１】
この状態において、作業者は、例えば他方の手の平で上体４の上面4Bを叩いたり、或いは上面4Bに対して体重を加えるなどして当該上体４の上面4Bを強く押圧することにより、図６に示すように、茎30の中心軸31上を側面から切断し一文字状の切り口32を形成できる。
【００４２】
このとき、上体４の上面4Bが平面状に形成されていることにより、作業者は、上面4Bに対して手の平を広範囲に確実に押し当てることができるので、上体４に対し自己の体重を容易に加えるなど一段と強い力を容易に上刃６に対して加えることができ、かくして上刃６と下刃５との間に挟み込まれた茎30の中心軸31を容易に切断できる。
【００４３】
このように、茎30が基台平行ガイド溝14及び上側平行ガイド溝21により挟み込まれて位置決めされていることにより、作業者が上面4Bに対して力を加えても、下刃５及び上刃６のX軸上の切断位置CP１から茎30がずれることがないので、正確に茎30の中心軸31を一文字に切断できる。
【００４４】
続いて、作業者は、図７（A)に示すように、再び生花用切断器具１を開状態とし、基台平行ガイド溝14上で茎30の中心軸31を下刃５と上刃６との間に位置決めさせた状態で約９０度回転させることにより、切断方向を変更した後、再び、図７（B)に示すように、上体４を基台２側に押し倒す。
【００４５】
この状態において、作業者は、例えば他方の手の平で再び上体４の上面4Bを強く押圧することにより、図７（C)に示すように、下刃５及び上刃６により茎30の中心軸31上を側面から再び切断し、これにより、図８に示すような、十文字状の切り口33を形成できる。
【００４６】
このように、茎30が基台平行ガイド溝14によって予め位置決めされていることにより、作業者が茎30を単に９０度回転させるだけで、十文字の切り口33となる正確な位置に茎30の中心軸32を位置決めできる。
【００４７】
これに対して、茎30に斜めの切り口を形成する作業者は、図９（A)に示すように、一方の手で茎30を保持し当該茎30の切り口側を、開状態にある生花用切断器具１の基台傾斜ガイド面15に沿わせるようにして下刃５と上刃６との隙間Ｇに挿入して切断位置CP２に位置決めし、その後、図９（B)に示すように、上体４を基台３側に押し倒す。
【００４８】
このとき、上側傾斜ガイド面22と基台傾斜ガイド面15とにガイドされた茎30は、茎30の中心軸31が下刃５と上刃６とが対向するX軸上の切断位置CP2に対し傾斜した角度（この場合、約４５度程度の角度）で位置決めされる。
【００４９】
このとき、作業者は、上体４に形成された開口部19を介して切断位置CP2と茎30の切断箇所とを目視確認でき、かくして所望の位置に確実に位置決めできる。
【００５０】
この状態において、作業者は、例えば他方の手の平で上体４の上面4Bを強く押圧することにより、図９（C)に示すように、茎30の中心軸31に対して傾斜した角度で切断し、これにより、図10に示すような、茎30の中心軸31に対して傾斜した切り口34を形成できる。
【００５１】
因みに、茎30に平行な切り口を形成する作業者は、一方の手で茎30を保持し当該茎30の切り口側を、開状態にある生花用切断器具１の基台直交ガイド面16（図４（A))に沿わせるようにして下刃５と上刃６との隙間Ｇに挿入して切断位置CP２に位置決めし、その後、上体４を基台２側に押し倒す。
【００５２】
このとき基台直交ガイド面16によりガイドされた茎30は、茎30の中心軸31が下刃５と上刃６とが対向する切断位置CP2に対して直交した角度で位置決めされる。
【００５３】
この状態において、作業者は、例えば他方の手の平で上体４の上面4Bを強く押圧することにより、茎30の中心軸31に対して直交した角度で切断し平行な切り口を形成できる。
【００５４】
以上の構成によれば、本実施例では、上側平行ガイド溝21及び基台平行ガイド溝14によって生花の茎30の中心軸31を上刃６及び下刃５の間に平行にガイドした状態で上面4Bを叩いたり、或いは体重を利用して押圧できるようにしたことにより、作業者の握力による力に比べ遥かに大きな力を上面4Bを介して上刃６及び下刃５に対し容易に加えることができるので、正確に茎30の切り口を一文字状及び十文字状に切断でき、かくして容易に所望の切り口31及び32を形成し得る。
【００５５】
また、これにより、茎の切り口が潰れてしまうことを防止できるので切り口を整える作業を省くことができ、かくして水揚げ作業の負担を軽減し得る。
【００５６】
さらに、傾斜ガイド面22及び基台傾斜ガイド面15によって生花の茎30の中心軸31を上刃６及び下刃５の間に斜めにガイドした状態で上面4Bを叩いたり、或いは体重を利用して押圧できるようにしたことにより、作業者の握力による力に比べ遥かに大きな力を上面4Bを介して上刃６及び下刃５に対し容易に加えることができるので、正確に茎30の切り口を斜めに切断できるとともに、当該茎30の切り口34が潰れてしまうことを防止でき、かくして水揚げ作業の負担を軽減しながら容易に所望の切り口34を形成し得る。
【００５７】
さらに、基台２を固定した状態で上体４に対してだけを押圧することにより生花の茎30を切断するようにしたことにより、従来の枝切り鋏のように、握り手で保持部を把持し不安定な状態で生花の茎30を切断位置に位置決めする場合に比べて、一段と正確に茎30を切断位置CP1及びCP2に位置決めできる。
【００５８】
そして、上面4Bを叩いたり、或いは体重を利用して上面4Bに負荷を与えることにより、瞬間的に大きな力を加えて茎30を切断できるので、当該茎30に対して下刃５及び上刃６の接触時間が少なく、瞬間的に切断力を茎30に与え茎30の切り口に対する負担を軽減できるため、当該切り口が潰れることを防止でき、かくして植物の切断に最適な水揚げ効果の高い、美しい切り口を得ることが出来る。
【００５９】
また、固定した基台２に対しヒンジ部３を介して開閉自在に連結された上体４を有し、当該上体４に開口部19を設けるようにしたことにより、上刃６の軌道及び負荷を与える際の状況が安定しており、かつ開口部19から確認しながら、切断面の方向を決め、上面4Bを押圧できるので、一段と正確に所望する切り口を形成できる。
【００６０】
因みに、下刃５及び上刃６は替え刃式で切断力が劣化した場合や、切断目的物以外の切断によって破損した場合、下刃５及び上刃６のみを取り替えることによって、ローコストにて切断能力を新たに得ることができる。
【００６１】
さらに、作業者の手と接触する上体４の上面4Bを硬質ゴム材で形成したことにより、手による衝撃を僅かに吸収し、作業者の手に対する負担を軽減し得る。
【００６２】
因みに、従来、バネにより刃部を元の形態に戻す枝切り鋏が用いられており、連続作業性としてバネの力は握力にかかる負担となる。それらの負担の大きい切断の反復作業は握力も使うため疲労も強いものであったが、本発明の生花用切断器具１においては、握力を使わずに上面4Bを押圧するだけなので、反復作業でも疲労を少ないものとでき、かくして水揚げ作業の負担を軽減し得る。
【００６３】
なお、上述した実施の形態においては、生花用切断器具１について、ほぼ円形状に基台２及び上体４を形成するようにした場合について述べたが、本発明はこれに限らず、ほぼ矩形状や三角形状などこの他種々の形状で基台２及び上体４を形成するようにしても良い。
【００６４】
また、上述した実施の形態においては、基台２及び上体４の直径を約12cm程度に選定し、机上に基台２を載置するような生花用切断器具１について述べたが、本発明はこれに限らず、基台２及び上体４の直径を種々の大きさに選定したり、或いは図１（A)及び（B)と同一部分に同一符号を付して示す図11（A）及び（B)のように、脚100を介して生花用切断器具101を地上に載置するようにしても良く、この場合、厚みを有する板状の基台102の四隅に脚100を有し、当該基台102に対して上体104がヒンジ部103を介して開閉自在に連結された構成を有する。このように生花用切断器具101を大型化することにより、作業者は立った状態で水揚げ作業を行うことができるので、一段と容易に上体104の上面104Bを押圧でき、かくして一段と水揚げ作業の負担を軽減し得る。
【００６５】
さらに、上述した実施の形態においては、上体４の上面4Bに開口部19を設けることにより、茎30と切断位置CP2との切断状態を目視確認できるようにした場合について述べたが、本発明はこれに限らず、上体４を透明又は半透明の部材で形成することにより、茎30と切断位置CP2との切断状態を目視確認できるようにしても良く、この場合、切断位置CP2だけでなく、十文字の切り口を形成するための切断位置CP1においても、切断状態を目視確認できるので、十文字の切り口を形成する際にも一段と正確に所望の切り口を形成できる。また、開口部19を設けない分、作業者が手の平などで押圧する面積が増え、一段と容易に上面4Bを押圧できる。
【００６６】
さらに、上述した実施の形態においては、基台平行ガイド溝14及び上側平行ガイド溝21の直径が予め選定されているようにした場合について述べたが、本発明はこれに限らず、基台平行ガイド溝14及び上側平行ガイド溝21の溝の直径がスライド調整可能に構成するようにしても良い。この場合、スライド部材が基台側ガイド手段９及び上側ガイド手段８の側面に設けられており、このスライド部材が側面に沿って移動することにより、基台平行ガイド溝14及び上側平行ガイド溝21の溝の直径が変更する。これにより、茎30の太さに応じて基台平行ガイド溝14及び上側平行ガイド溝21の直径を変更でき、茎30の中心軸31に対して常に切断位置CP１を正確に位置決めできる。
【００６７】
さらに、上述した実施の形態においては、基台傾斜ガイド面15及び上側傾斜ガイド面22の角度が予め選定されているようにした場合について述べたが、本発明はこれに限らず、基台傾斜ガイド面15及び上側傾斜ガイド面22の角度がスライド調整可能に構成するようにしても良い。この場合、スライド部材が基台側ガイド手段９及び上側ガイド手段８の側面に設けられており、このスライド部材が側面に沿って移動することにより、基台傾斜ガイド面15及び上側傾斜ガイド面22が中心点Ｐを中心として角度変更する。これにより、基台傾斜ガイド面15及び上側傾斜ガイド面22の角度を変更でき、所望の角度で茎30を切断位置CP2に位置決めできる。
【図面の簡単な説明】
【００６８】
【図１】本発明に生花用切断器具の全体構成を示す略線的斜視図である。
【図２】生花用切断器具の側面構成及び正面構成を示す略線図である。
【図３】ヒンジ部の側断面構成を示す略線的断面図である。
【図４】基台の上面及び上体の下面の構成を示す略線図である。
【図５】生花用切断器具の使用例（１）を示す略線図である。
【図６】生花の茎が一文字状に切断された切り口を示す略線的斜視図である。
【図７】生花用切断器具の使用例（２）を示す略線図である。
【図８】生花の茎が十文字状に切断された切り口を示す略線的斜視図である。
【図９】生花用切断器具の使用例（３）を示す略線図である。
【図１０】生花の茎が斜めに切断された切り口を示す略線的斜視図である。
【図１１】他の実施の形態による生花用切断器具の全体構成を示す略線的斜視図である。
【符号の説明】
【００６９】
１  生花用切断器具
２  基台
３  ヒンジ部
４  上体
4B  上面（押圧面）
５  下刃
６  上刃
14  基台平行ガイド溝（平行ガイド手段）
15  基台傾斜ガイド面（傾斜ガイド手段）
30  茎
【図１】
2005212080.tif 000003
【図２】
2005212080.tif 000004
【図３】
2005212080.tif 000005
【図４】
2005212080.tif 000006
【図５】
2005212080.tif 000007
【図６】
2005212080.tif 000008
【図７】
2005212080.tif 000009
【図８】
2005212080.tif 000010
【図９】
2005212080.tif 000011
【図１０】
2005212080.tif 000012
【図１１】
2005212080.tif 000013